(57)【要約】【課題】ガラス枠と球受け皿とを一体に構成した弾球遊技機に適用しながらも、蓋体の球受け皿に対する移動方向を変更するなどで清掃作業を簡便化し得るように構成した弾球遊技機を提供する。【解決手段】蓋体２１が被覆位置と露出位置との間を自在に移動できるように支持機構で支持され、かつ、球案内路２２に沿って移動する清掃用棒部材３３に摺接することで該蓋体２１を露出位置に移動させ得るように傾斜する傾斜面２１ｂを蓋体２１に形成することで、清掃用棒部材を球案内路に沿って移動させるだけで、蓋体を、上皿１２の上下方向ではなく手前方向に簡単に移動できる。このため、ガラス枠と上皿１２及び下皿１５とを一体化した前扉３にあっても、蓋体を露出位置に移動させて球案内路を容易に露出させ、該球案内路の清掃作業を簡略化できる。【選択図】図６
2010124870.tif 000002
【特許請求の範囲】
【請求項１】
遊技領域と、遊技球を貯留する球受け皿と、該球受け皿に設けられた蓋体の移動に伴い露出される球案内路と、を備え、前記遊技領域に遊技球を打ち出して遊技してなる弾球遊技機において、
前記蓋体を、前記球案内路を覆う被覆位置と該球案内路を露出させる露出位置との間を移動可能に且つ前記被覆位置に向けて常時付勢した状態に支持する支持機構と、
前記球案内路に沿って清掃具を移動させた際、該清掃具と摺接して前記蓋体を前記被覆位置から前記露出位置に移動させるように該蓋体に一体に設けられた傾斜部と、を備えてなる、
ことを特徴とする弾球遊技機。
【請求項２】
前記支持機構は、前記蓋体を前記被覆位置から前記露出位置に向けて平行移動させるように支持してなる、
請求項１記載の弾球遊技機。
【請求項３】
前記球受け皿は、遊技機本体の前部に備えられた前扉に配置された上皿であり、かつ、
前記前扉における前記上皿の下方に設けられた下皿と、
前記遊技領域に向けて打ち出され該遊技領域に到達せずに戻る遊技球を前記下皿に戻す回収通路と、
該回収通路に連通した状態で前記球案内路に隣接する位置に設けられた球戻し通路と、
前記蓋体に一体に設けられ、前記被覆位置にあっては前記球案内路と前記球戻し通路とを離隔し、かつ前記露出位置にあっては前記球案内路と前記球戻し通路とを連通させる離隔部材と、を備えてなる、
請求項１又は２記載の弾球遊技機。
【請求項４】
前記支持機構は、前記蓋体を前記被覆位置から前記露出位置に向けて回転移動させるように支持してなる、
請求項１記載の弾球遊技機。
【発明の詳細な説明】
【技術分野】
【０００１】
本発明は、パチンコ機等の弾球遊技機に係り、特に球受け皿における球案内路の清掃作業を簡便化し得る構造を備える弾球遊技機に関する。
【背景技術】
【０００２】
一般に、弾球遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技盤下部のアウト口に流入するように構成されたものが知られている。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等の画像表示装置の画面上で所定の演出表示が行われる。大当たりの発生時には、アタッカーと呼ばれる大入賞口が開放し、入球に対応して多量の遊技球が払い出される状態となる。
【０００４】
ところで、球受け皿の内部に設けられた球案内路での球詰りの解消や球受け皿の内部に配置された機器の故障修理等を容易に行い得るようにしたメンテナンス構造を備えるパチンコ機が提案されている（特許文献１参照）。該メンテナンス構造を備えるパチンコ機では、球受け皿の外壁に、球受け皿内部のメンテナンス用の開口を設けると共に該開口を開閉するための蓋体を設け、かつ該開口を貸球排出路の出口開口の下方に位置させ、更に、上記蓋体を閉鎖位置にて弾性的に支持している。
【０００５】
【特許文献１】特開２００４−１７４０２８号公報
【発明の開示】
【発明が解決しようとする課題】
【０００６】
しかし、上記特許文献１記載のパチンコ機では、一端が軸部で上記開口の開口縁に軸支された蓋体を開放することで、球受け皿内部の球案内路での球詰りを解消するように構成し得るものの、遊技球の流路が立体交差的になっているため、蓋体を、軸部を中心として上方に回動させなければ清掃作業をすることができない。従って、そのままの構造であると、例えばガラス枠を球受け皿と一体に構成した形式のパチンコ機に上記メンテナンス構造を適用する場合には、ガラス枠又は球受け皿を単独に開放して蓋体を開放することができなくなるため、球案内路の上方に位置するガラス枠側の突出部等を避けて蓋体を上方に回動させることが難しくなり、清掃作業が極めて困難になる。
【０００７】
そこで本発明は、ガラス枠と球受け皿とを一体に構成した弾球遊技機に適用しながらも、蓋体の球受け皿に対する移動方向を変更するなどで清掃作業を簡便化し得るように構成した弾球遊技機を提供することを目的としている。
【課題を解決するための手段】
【０００８】
請求項１に係る本発明は（例えば図１ないし図１１参照）、遊技領域（７ａ）と、遊技球（Ｂａ）を貯留する球受け皿（１２）と、該球受け皿（１２）に設けられた蓋体（２１又は３１）の移動に伴い露出される球案内路（２２）と、を備え、前記遊技領域（７ａ）に遊技球（Ｂａ）を打ち出して遊技してなる弾球遊技機（１）において、
前記蓋体（２１又は３１）を、前記球案内路（２２）を覆う被覆位置（図３及び図５参照）と該球案内路（２２）を露出させる露出位置（図４及び図６参照）との間を移動可能に且つ前記被覆位置に向けて常時付勢した状態に支持する支持機構（１２ｃ，２１ｅ，２４，３５、又は１２ｃ，３２，３６）と、
前記球案内路（２２）に沿って清掃具（３３）を移動させた際、該清掃具（３３）と摺接して前記蓋体（２１又は３１）を前記被覆位置から前記露出位置に移動させるように該蓋体（２１又は３１）に一体に設けられた傾斜部（２１ｂ又は３１ｂ）と、を備えてなる、
ことを特徴とする弾球遊技機（１）にある。
【０００９】
請求項２に係る本発明は（例えば図３ないし図９参照）、前記支持機構（１２ｃ，２１ｅ，２４，３５）は、前記蓋体（例えば２１）を前記被覆位置から前記露出位置に向けて平行移動させるように支持してなる、
請求項１記載の弾球遊技機（１）にある。
【００１０】
請求項３に係る本発明は（例えば図８及び図９参照）、前記球受け皿は、遊技機本体（２，３）の前部に備えられた前扉（３）に配置された上皿（１２）であり、かつ、
前記前扉（３）における前記上皿（１２）の下方に設けられた下皿（１５）と、
前記遊技領域（７ａ）に向けて打ち出され該遊技領域（７ａ）に到達せずに戻る遊技球（Ｂａ）を前記下皿（１５）に戻す回収通路（２７）と、
該回収通路（２７）に連通した状態で前記球案内路（２２）に隣接する位置に設けられた球戻し通路（２９）と、
前記蓋体（例えば２１）に一体に設けられ、前記被覆位置にあっては前記球案内路（２２）と前記球戻し通路（２９）とを離隔し、かつ前記露出位置にあっては前記球案内路（２２）と前記球戻し通路（２９）とを連通させる離隔部材（２１ｄ）と、を備えてなる、
請求項１又は２記載の弾球遊技機（１）にある。
【００１１】
請求項４に係る本発明は（例えば図１０及び図１１参照）、前記支持機構（１２ｃ，３２，３６）は、前記蓋体（例えば３１）を前記被覆位置から前記露出位置に向けて回転移動させるように支持してなる、
請求項１記載の弾球遊技機（１）にある。
【００１２】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１３】
請求項１に係る本発明によると、支持機構が、蓋体を、被覆位置と露出位置との間を移動可能に且つ被覆位置に向けて常時付勢した状態に支持し、蓋体に一体に設けられた傾斜部が、球案内路に沿って清掃具を移動させた際に該清掃具と摺接して蓋体を被覆位置から露出位置に移動させるので、清掃具を球案内路に沿う方向に移動させて該球案内路を清掃するだけで、蓋体を、球受け皿の上下方向ではなく手前方向（遊技者側）に簡単に移動させることができる。従って、このようなメンテナンス構造を、ガラス枠を球受け皿と一体に構成した前扉に適用したとしても、蓋体を露出位置に簡単に移動させて球案内路の清掃を容易に行うことができ、これにより、球案内路の清掃作業を極めて簡便化できる。
【００１４】
請求項２に係る本発明によると、支持機構が蓋体を被覆位置から露出位置に向けて平行移動させるように支持するので、蓋体を、球受け皿の上下方向ではなく手前方向に平行移動させることで被覆位置から露出位置に簡単に移動させ得るメンテナンス構造を容易に実現することができる。
【００１５】
請求項３に係る本発明によると、遊技領域に到達せずに戻る遊技球を下皿に戻す回収通路と、該回収通路に連通した状態で球案内路に隣接する位置に設けられた球戻し通路と、被覆位置にあっては球案内路と球戻し通路とを離隔しかつ露出位置にあっては球案内路と球戻し通路とを連通させる離隔部材とを蓋体に備えるので、清掃具で蓋体を露出位置に移動させることに伴って離隔部材を移動させて球案内路を球戻し通路に連通させ、球案内路に残っている遊技球を、球戻し通路及び回収通路を介して下皿に戻すことができる。これにより、清掃作業において、球案内路に残っている遊技球をいちいち球抜きボタンを操作するなどで回収する煩雑な作業を省き、清掃作業を極めて簡略化することができる。
【００１６】
請求項４に係る本発明によると、支持機構が蓋体を被覆位置から露出位置に向けて回転移動させるように支持するので、蓋体を、球受け皿の上下方向ではなく手前方向に回転移動させることで被覆位置から露出位置に簡単に移動させ得るメンテナンス構造を容易に実現することができる。
【発明を実施するための最良の形態】
【００１７】
以下、本発明に係る弾球遊技機の実施の形態として、遊技場等に設置されるパチンコ機を図に沿って説明する。なお、図１は本発明の実施の形態におけるパチンコ機の外部構造を示す斜視図、図２は本パチンコ機の外部構造を示す正面図、図３は図１のように蓋体２１を被覆位置に位置させた状態の上皿１２及びその周辺部を拡大して示す斜視図、図４は蓋体２１を露出位置に位置させた状態の上皿１２及びその周辺部を拡大して示す斜視図である。図５は、図２のＡ−Ａ線に沿って断面して被覆位置に位置する蓋体２１を視認し得るようにして示す平面断面図、図６は、図２のＡ−Ａ線に沿って断面して露出位置に位置する蓋体２１を視認し得るようにして示す平面断面図、図７は、被覆位置と露出位置との間を平行移動する蓋体２１を模式的に描いた模式図である。図８は、図２のＣ−Ｃ線に沿って断面して被覆位置の蓋体２１及びその支持構造を視認し得るようにして示す側面断面図、図９は、図８における蓋体２１を露出位置に移動させた状態を示す側面断面図である。
【００１８】
本パチンコ機（弾球遊技機）１は、図１及び図２に示すように、発射ハンドル（同図では発射ハンドルは図示せずその装着部１７を示す）の操作による発射装置３０（図７参照）の作動で遊技球を遊技盤７の遊技領域７ａに向かって打ち出しつつ遊技を行うもので、大当たりが発生した状態でアタッカー（図示せず）に入賞した遊技球に対応する数の遊技球を払い出すように構成されている。
【００１９】
本パチンコ機１は、開口を有する枠体状の筐体２と、遊技盤７を支持した形で筐体２に開閉可能に支持された前扉３とを有しており、該前扉３には、透明ガラスを有して遊技領域７ａの前面を覆うガラス枠と、上皿１２と、下皿１５とが一体的に設けられている。前扉３における左右上方には、スピーカー（図示せず）を有する放音装置１１が配設されている。なお、筐体２及び前扉３等から遊技機本体が構成されている。
【００２０】
遊技機本体前部の前扉３における下側には、遊技球をそれぞれ貯留する上皿１２及び下皿１５が順に設けられており、上皿１２における左上部には、賞球及び貸球を含む遊技球が供給される球供給口１６が設けられ、上皿１２における前側の上面部には、遊技者参加ボタン（所謂チャンスボタン）１３、球貸ボタン１４ａ及び返却ボタン１４ｂが設けられている。上皿１２の上部には、該上皿１２側とガラス枠側を区分けし、かつ応力に対する前扉３の強度を高めるための梁部材１８が該上皿１２の左右幅方向に亘るように、かつ前方にやや突出するように形成されている。上皿１２における前面左端部には、該上皿１２に貯留されている遊技球を下皿１５側に排出するための球抜きボタン１０が配設されている。
【００２１】
上皿（球受け皿）１２は、図１ないし図７に示すように、球案内路２２を覆う被覆位置（図３、図５及び図８に示す位置）と該球案内路２２を露出させる露出位置（図４、図６及び図９に示す位置）との間を移動可能に且つ被覆位置に向けて常時付勢された状態に後述の支持機構により支持された蓋体２１と、該蓋体２１が被覆位置にある状態で球供給口１６から供給される遊技球Ｂａを下流側に転動させる転動面１２ａと、該転動面１２ａの後部に形成された平坦で薄い形状の案内面１２ｃと、表面に金属板２２ａが貼付されることで発射装置３０に遊技球Ｂａを円滑に送り込めるようにされた球案内路２２と、転動面１２ａを転動する遊技球Ｂａを該球案内路２２に導くガイド部材２０と、該ガイド部材２０を通過した遊技球Ｂａを上記球案内路２２に導く球通過路１２ｂと、を有している。上記支持機構によって移動案内される蓋体２１は、球案内路２２を覆う被覆位置に向かってバネ部材３５によって常時付勢されている。図７中の符号３４は、蓋体２１側に一端を係止されたバネ部材３５の他端を遊技機本体側（この場合は発射装置３０）に係止する係止部である。該バネ部材３５には、両端を蓋体２１と発射装置３０とにそれぞれ係止されて蓋体２１を被覆位置に向け常時付勢する引っ張りバネが用いられる。なお、上記案内面１２ｃ及びバネ部材３５と、後述のガイド溝２１ｅ及びガイドレール２４とにより、上記支持機構が構成される。
【００２２】
下皿１５の右部には、図７に示す発射装置３０を操作して遊技球を遊技領域７ａに向けて打ち出すための発射ハンドルが配設されている。更に下皿１５には、上皿１２からオーバーフローした遊技球が放出される球放出口１９が形成されている。下皿１５の手前側には、該下皿１５に貯留した遊技球を下方に置いた賞球箱（図示せず）に排出するための球抜きレバー２３が配設されている。なお、図１中の符号１５ｂは、球抜きレバー２３の球抜き操作に伴って下皿１５の中央部を開放する開閉蓋である。
【００２３】
ついで、図５ないし図９を参照して、蓋体２１の支持構造について詳細に説明する。
【００２４】
すなわち、図５ないし図７に示すように、移動に伴い球案内路２２を露出させる蓋体２１は、全体的に上皿１２の幅方向（左右方向）に長い矩形状を呈し、球通過路１２ｂを向く側（図５の右方側）における後壁面２６側に、上方に突出するように摘み部２１ａが形成され、かつ該摘み部２１ａの下側に傾斜部２１ｂが形成されている。該傾斜部２１ｂは、清掃用棒部材（清掃具）３３を球案内路２２に沿って移動させた際、該清掃用棒部材３３と摺接して蓋体２１を被覆位置から露出位置に移動させるように該蓋体２１に一体に設けられている。つまり、傾斜面２１ｂは、清掃用棒部材３３と摺接することで球案内路２２を露出させる方向に移動できるように、図７における右側に行くほど後壁面２６から離れるように傾斜している。
【００２５】
蓋体２１は、上記案内面１２ｃに被さるように該案内面１２ｃに案内されて上皿１２の前方（即ち、図８及び図９における左方向）に移動するためのガイド溝２１ｅと、案内面１２ｃの後端部に当接して該蓋体２１の前方移動端を規制するための前規制面２１ｆと、球案内路２２の後壁面２６に当接して該蓋体２１の後方移動端を規制するための後規制面２１ｃと、下方に突出するように形成された離隔部材２１ｄとを一体に有している。また、球案内路２２の上部左右（即ち、図８及び図９における紙面の手前側と奥側）にはそれぞれ、上皿１２を図８及び図９の左右方向に移動案内するためのガイドレール２４が形成されている。
【００２６】
図８及び図９に示すように、上皿１２及び下皿１５の背面側（図８及び図９における右方側）には、遊技領域７ａに向けて打ち出され該遊技領域７ａに到達せずに戻る遊技球Ｂａを下皿１５に戻すファール球回収通路（回収通路）２７が形成されている。そして、上皿１２の背面側には、ファール球回収通路２７に連通した状態で球案内路２２に隣接する位置に設けられた球戻し通路２９が形成されている。蓋体２１は、球案内路２２を覆う上記被覆位置にあっては球案内路２２と球戻し通路２９とを離隔し、かつ球案内路２２を露出させる上記露出位置にあっては球案内路２２と球戻し通路２９とを連通させる離隔部材２１ｄを一体に有している。なお、上記ファール球回収通路２７は、発射装置３０の作動で遊技領域７ａに向けて打ち出されたもののガイドレール（図示せず）から遊技領域７ａ側に到達し得なかった遊技球を、所謂ファール球として下皿１５に戻すための通路である。
【００２７】
図５及び図８に示す状態にあって、球貸しされた遊技球や入賞口に入賞した場合に払い出す球払出装置（図示せず）から供給される遊技球Ｂａが球供給口１６から上皿１２に放出されると、それら遊技球Ｂａは、立体交差の流路を回るように、図５の矢印で示すように転動面１２ａから球通過路１２ｂを経由して球案内路２２に到達し、図８に示すように球案内路２２の金属板２２ａ上に位置する。この状態で、蓋体２１が上皿１２の前方（即ち、図８における左方向）に平行移動されると、該蓋体２１の移動に伴って同方向に移動する離隔部材２１ｄが球案内路２２を球戻し通路２９に連通させるので、遊技球Ｂａは開口部２２ｂを通って球戻し通路２９側に転がって、図９における矢印Ｆのようにファール球回収通路２７を落下し、底面２８に着地した後、球放出口１９（図２参照）から矢印Ｇのように下皿１５の底面１５ａに放出されて返却される。
【００２８】
次に、本パチンコ機１による作用について説明する。
【００２９】
本パチンコ機１に対面して着座した遊技者が、発射ハンドルを握って適宜の角度に回動操作すると、発射装置３０が作動して、遊技球を所定の時間間隔で遊技領域７ａに向けて連続的に発射させる。すると、遊技領域７ａに打ち出されて転動落下する多数の遊技球は、遊技領域７ａ内の不図示の始動チャッカーや一般入賞口等に適時入賞し、或いは、これらに関与せずに転動落下して遊技領域７ａ最下部のアウト口（図示せず）から遊技盤７の背面側に排出される。
【００３０】
ところで、上記始動チャッカーに入賞した場合、その時点での保留球数が所定数未満であれば、乱数カウンタを用いた大当たり抽選が行われるが、該抽選で当選した場合、更に、大当たりの種別に対応する変動パターンが決定される。これにより、遊技領域７ａに備えられた不図示の図柄表示装置に表示されるべき当たり図柄がセットされる。一方、大当たり抽選で外れた場合には、変動の結果、外れに対応する図柄が最終的に揃う旨の変動パターンが決定され、図柄表示装置に表示される外れ図柄がセットされる。
【００３１】
そして、図柄表示装置に表示すべき演出内容に関する信号に基づき、該図柄表示装置が駆動され、大当たり抽選結果に関する内容等が演出表示される。図柄表示装置の画面上に表れた抽選結果が大当たり決定である場合、不図示のアタッカーが開放され、所定数入賞が終了する（又は所定時間が経過する）毎に閉塞する動作を所定ラウンド数だけ繰り返される。
【００３２】
一方、遊技場の閉店に伴い、遊技場係員等による各パチンコ機１に対する清掃作業が行われるが、その際、発射ハンドルや上皿１２、下皿１５を拭く等の作業が行われる。その場合、流路が他の部位（転動面１２ａ、球通過路１２ｂ等）に比して狭くなっている球案内路２２の清掃を行う際、係員は、図７のように蓋体２１が二点鎖線で示す被覆位置にある状態で、清掃用棒部材３３の先端部３３ａを球案内路２２の金属板２２ａ上に当てながら蓋体２１に向かって（同図左方に）移動させる。これにより、矢印Ｉ方向に移動する先端部３３ａやその上の柄の部分が蓋体２１の傾斜面２１ｂに摺接することで、球案内路２２を露出させる方向に蓋体２１を強制的に移動させるベクトル分力（矢印Ｄ方向の力）が発生するため、該蓋体２１は、案内面１２ｃ、ガイド溝２１ｅ及びガイドレール２４に支持されつつ矢印Ｄ方向に平行移動され、更に、清掃用棒部材３３を後部側面２１ｇに沿わせることで、露出位置に移動した蓋体２１を該露出位置に保持できる。そして、この状態を維持しつつ不図示の入賞口に遊技球を入れたりして球払出装置の確認を行うと、払い出された遊技球をそのまま下皿１５に排出できるという効果が得られる。更に、蓋体２１を露出位置に保持している清掃用棒部材３３が、発射装置３０の球送り装置（図示せず）に遊技球が送られるのを防止するという効果も得ることができる。なお、上記後部側面２１ｇは、蓋体２１が被覆位置及び露出位置の双方にて後壁面２６と平行になるように構成される。
【００３３】
そして、遊技場係員が清掃用棒部材３３を球案内路２２に沿って複数回往復移動させて該球案内路２２の特に金属板２２ａを磨くことにより、上記支持機構で案内されて平行移動する蓋体２１は、清掃用棒部材３３の往復移動に伴い上記バネ部材３５の付勢力に抗して露出位置に移動したり、該バネ部材の付勢力に準じて被覆位置に移動したりする。このように、清掃用棒部材３３を用いた清掃作業は、極めて容易に行われる。
【００３４】
なお、上述のように清掃用棒部材３３で傾斜面２１ｂを押すようにしないで、摘み部２１ａを摘んで蓋体２１を平行移動させて清掃することもできるが、その際の作業工程は、一方の手で摘み部２１ａを摘んだ状態で他方の手で清掃用棒部材３３を移動させるというように、傾斜面２１ｂを利用した上記作業に比してやや増えることになる。
【００３５】
以上説明した本実施の形態によれば、支持機構が、蓋体２１を、被覆位置と露出位置との間を移動可能に且つ被覆位置に向けて常時付勢した状態に支持し、かつ、蓋体２１に一体に設けられた傾斜部２１ｂが、球案内路２２に沿って清掃用棒部材３３を移動させた際に該清掃用棒部材３３と摺接して蓋体２１を被覆位置から露出位置に移動させるので、清掃用棒部材３３を球案内路２２に沿う方向に移動させて該球案内路２２を清掃するだけで、蓋体２１を、上皿１２の上下方向ではなく手前方向（遊技者側）に簡単に移動させることができる。従って、このようなメンテナンス構造を、本実施の形態のようにガラス枠と上皿１２とを一体構成にした前扉３に適用しても、蓋体２１を露出位置に簡単に移動させて球案内路２２の清掃を容易に行うことができ、これにより、球案内路２２の清掃作業を極めて簡便化させることができる。
【００３６】
また、本実施の形態によれば、支持機構が蓋体２１を被覆位置から露出位置に向けて平行移動させるように支持するので、蓋体２１を、上皿１２の上下方向ではなく手前方向に平行移動させることで被覆位置から露出位置に簡単に移動させ得るメンテナンス構造を容易に実現することができる。
【００３７】
更に、本実施の形態によれば、遊技領域７ａに到達せずに戻る遊技球Ｂａを下皿１５に戻すファール球回収通路２７と、該回収通路２７に連通した状態で球案内路２２に隣接する位置に設けられた球戻し通路２９と、被覆位置にあっては球案内路２２と球戻し通路２９とを離隔しかつ露出位置にあっては球案内路２２と球戻し通路２９とを連通させる離隔部材２１ｄとを蓋体２１に備えるので、清掃用棒部材３３で蓋体２１を露出位置に移動させることに伴って離隔部材２１ｄを移動させて球案内路２２を球戻し通路２９に連通させ、球案内路２２に残っている遊技球Ｂａを、球戻し通路２９及びファール球回収通路２７を介して下皿１５に戻すことができる。この場合、球案内路２２は、全体的に球戻し通路２９側に緩く傾斜していることが好ましい。このように、清掃作業において、球案内路２２に残っている遊技球をいちいち球抜きボタン１０を操作するなどで回収する煩雑な作業を省き、清掃作業を極めて簡略化することができる。
【００３８】
また、清掃作業に限らず、通常の遊技中においても、例えば球案内路２２にて球詰まりが発生した場合、清掃用棒部材３３や指などを傾斜面２１ｂに沿うように移動させて蓋体２１を露出位置に平行移動させることにより、詰まっている遊技球を球戻し通路２９側に落とすことで、極めて簡単に球詰まり状態を解消することができる。
【００３９】
ついで、上述した実施の形態を変形した変形例について、図１０及び図１１に沿って説明する。なお、図１０は、本変形例における蓋体３１及びその周辺を拡大して示す平面図、図１１は、被覆位置と露出位置との間を回転移動する蓋体３１を模式的に描いた模式図である。
【００４０】
本変形例の支持機構は、前述した実施の形態における支持機構とは異なり、図１０に示すように、球案内路２２の最後端部分で蓋体３１の端部を軸３２により案内面１２ｃに対して自在に回動し得るように支持する構成を備えている。即ち、本変形例における蓋体３１は、上述した蓋体２１と同様の形状を呈すると共に、摘み部２１ａと同様の摘み部３１ａ、及び傾斜面２１ｂと同様の傾斜面３１ｂを有し、軸３２、案内面１２ｃ及びバネ部材３６にて構成された支持機構により、被覆位置から露出位置に向けて回転移動（被覆位置と露出位置との間を回転移動）するように支持されている。
【００４１】
該支持機構によって移動案内される蓋体３１は、球案内路２２を覆う被覆位置に向かって（即ち、矢印Ｈと反対の方向）にバネ部材３６にて常時付勢されている。該バネ部材３６には、軸３２に被嵌された状態でその一端が蓋体３１に係止され且つ他端が上皿１２側に係止されて該蓋体３１を被覆位置に向け常時付勢するコイル状のトーションバネが用いられる。また、傾斜面３１ｂは、清掃用棒部材３３が球案内路２２に沿って移動された際、該棒部材３３と摺接することで球案内路２２を露出させる方向に回転移動できるように、図１０における右側に行くほど後壁面２６から離れるように傾斜している。
【００４２】
本変形例にあっては、上述した実施形態の場合のようなファール球回収通路２７に連通し得る球戻し通路２９や、該球戻し通路２９と球案内路２２を離隔／連通する離隔部材２１ｄを備えてはいないが、これらを具備しない分、部品点数が少なく、構成が一層シンプルになっている。そして、球案内路２２の清掃を行う場合、図１１のように蓋体３１が二点鎖線で示す被覆位置にある状態で、先端部３３ａを球案内路２２の金属板２２ａ上に当てながら清掃用棒部材３３を蓋体３１に向かって移動させる。これにより、矢印Ｊ方向に移動する先端部３３ａやその上の柄の部分が傾斜面３１ｂに摺接することで、球案内路２２を露出させる矢印Ｈ方向に蓋体３１を強制的に回動させるベクトル分力が発生して、該蓋体３１は、上記支持機構に支持されつつ矢印Ｈ方向に回転移動され、清掃用棒部材３３を後部側面３１ｇに沿わせることで、露出位置側に回動し始めた蓋体３１を該露出位置側に更に回動させることができる。上記後部側面３１ｇは、蓋体３１が被覆位置にある状態で後壁面２６と平行になるように構成される。
【００４３】
そして、遊技場係員が清掃用棒部材３３を球案内路２２に沿って複数回往復移動させることにより、上記支持機構にて案内されて回転移動する蓋体３１は、清掃用棒部材３３の往復移動に伴い上記バネ部材３６の付勢力に抗して露出位置に回動したり、該バネ部材３６の付勢力に準じて被覆位置に回動したりする。これにより、清掃用棒部材３３を用いた清掃作業が極めて簡略化される。また、支持機構が蓋体３１を被覆位置から露出位置に向けて回転移動させるように支持するので、蓋体３１を、上皿１２の上下方向ではなく手前方向に回転移動させることで被覆位置から露出位置に簡単に移動させ得るメンテナンス構造を容易に実現できる。
【００４４】
以上、本発明をその好適な実施の形態及び変形例に基づいて説明したが、本発明の弾球遊技機は、上記実施形態及び変形例の構成にのみ限定されるものではなく、上記実施形態及び変形例の構成から種々の修正及び変更を施した弾球遊技機も、本発明の範囲に含まれる。
【図面の簡単な説明】
【００４５】
【図１】本発明の実施の形態におけるパチンコ機の外部構造を示す斜視図である。
【図２】本パチンコ機の外部構造を示す正面図である。
【図３】蓋体を被覆位置に位置させた状態の上皿及びその周辺部を拡大して示す斜視図である。
【図４】蓋体を露出位置に位置させた状態の上皿及びその周辺部を拡大して示す斜視図である。
【図５】図２のＡ−Ａ線に沿って断面して被覆位置に位置する蓋体を視認し得るようにして示す平面断面図である。
【図６】図２のＡ−Ａ線に沿って断面して露出位置に位置する蓋体を視認し得るようにして示す平面断面図である。
【図７】被覆位置と露出位置との間を平行移動する蓋体を模式的に描いた模式図である。
【図８】図２のＣ−Ｃ線に沿って断面して被覆位置の蓋体及びその支持構造を視認し得るようにして示す側面断面図である。
【図９】図８における蓋体を露出位置に移動させた状態を示す側面断面図である。
【図１０】本発明に係る変形例における蓋体及びその周辺を拡大して示す平面図である。
【図１１】被覆位置と露出位置との間を回転移動する本変形例における蓋体を模式的に描いた模式図である。
【符号の説明】
【００４６】
１    弾球遊技機（パチンコ機）
２，３    遊技機本体（筐体、前扉）
７ａ    遊技領域
１２    球受け皿（上皿）
１２ｃ，２１ｅ，２４    支持機構（案内面、ガイド溝、ガイドレール）
１５    下皿
２１，３１    蓋体
２１ｂ，３１ｂ    傾斜部
２１ｄ    離隔部材
２２    球案内路
２７    回収通路（ファール球回収通路）
２９    球戻し通路
３２    支持機構（軸）
３３    清掃具（清掃用棒部材）
３５，３６    支持機構（バネ部材）
Ｂａ    遊技球
【図１】
2010124870.tif 000003
【図２】
2010124870.tif 000004
【図３】
2010124870.tif 000005
【図４】
2010124870.tif 000006
【図５】
2010124870.tif 000007
【図６】
2010124870.tif 000008
【図７】
2010124870.tif 000009
【図８】
2010124870.tif 000010
【図９】
2010124870.tif 000011
【図１０】
2010124870.tif 000012
【図１１】
2010124870.tif 000013